(57)【要約】【課題】  土中に埋めておくと自然に分解するとともに、環境を破壊することがないようにした園芸用ポットの製造方法を提供する。【解決手段】  原材料としての籾殻１１を粉状に砕く。粉状の砕かれた籾殻１１と、片栗粉を含む粘着剤１２と、固体剤１３とを攪拌機で混合する。混合された物質を型に入れて、１５０度から２００度の温度で所定時間加熱して成形する。加熱が終了したら、炉から取り出して、自然乾燥させる。片栗粉は、高温で糊状になり、籾殻１１を繋ぐ粘着剤となる。籾殻、片栗粉および粘着剤は天然の物質であるので、時間がたてば自然に土中で分解する。【選択図】        図３
2007082478.tif 000002
【特許請求の範囲】
【請求項１】
原材料としての籾殻を粉状に砕く工程と、
前記粉状に砕かれた籾殻と、片栗粉を含む粘着剤と、固体剤とを混合する工程と、
前記混合行程で混合された物質を型に入れて１５０度から２００度の温度で所定時間加熱して成型する工程と、
前記加熱された成型物を前記高温炉から取り出して乾燥させる工程と
を備えたことを特徴とする園芸用ポットの製造方法。
【請求項２】
更に、玄米糠を原材料として加えることを特徴とする請求項１に記載の園芸用ポットの製造方法。
【請求項３】
更に、豚油を混合することを特徴とする請求項１に記載の園芸用ポットの製造方法。
【請求項４】
更に、食紅の色素を混合することを特徴とする請求項１に記載の園芸用ポットの製造方法。
【請求項５】
前記片栗粉を含む粘着剤は、前記片栗粉に、ホルムアルデヒドと、尿素と、メラミンと、ゼラチンとを配合してなる粘着物質を用いることを特徴とする請求項１に記載の園芸用ポットの製造方法。
【請求項６】
前記請求項１ないし６に記載の園芸用ポットの製造方法を用いて製造された園芸用ポット。
【発明の詳細な説明】
【技術分野】
【０００１】
本発明は、精米の際に生じる籾殻を利用した園芸用ポットの製造方法および園芸用ポットに関する。
【背景技術】
【０００２】
植物の栽培に用いる園芸用ポットとしては、従来、ポリ塩化ビニル、ポリエチレン、ポリプロピレン、ポリスチレン等の合成樹脂を主成分としたものが用いられている。ところが、合成樹脂を主成分とした園芸用ポットは、土中に埋設しても分解しない。このため、例えば、園芸用ポットで育てた苗を畑に移植する際に、苗を園芸用ポットから抜き出して、土壌に植え替える必要がある。また、合成樹脂の園芸用ポットは、消却すると有毒な燃焼ガスが発生する。このため、従来の合成樹脂の園芸用ポットは、廃棄が難しく、環境を悪化させる危険性がある。
【０００３】
そこで、地中で分解する素材を用いて形成された園芸用ポットとして、例えば特許文献１〜特許文献３に示すようなものが提案されている。
【０００４】
特許文献１に記載されている育苗ポットは、木材を粉砕して得られる粉末等のセルロース系粉末を利用した育苗ポットであって、育成時には生分解が抑えられるとともにポットを構成する各層間の剥離がなく、ひとたびポットごと土中に埋設された後には速やかに完全分解するようにしたものである。
【０００５】
特許文献２に記載されている植物栽培用ポットは、セルロース系素材に炭及びバインダーが配合され、栽培容器形状としたポット本体に、木酢又は竹酢を含有させるようにして、根が張るのを阻害する等の植物の成長に悪影響がなく、地中に放置しても分解可能としたものである。
【０００６】
特許文献３に記載されている苗木容器は、おがくず、籾殻、又は木砕繊維から選ばれた木質繊維含有物に肥料成分を含浸させたものとパルプスラリーを混合し、上部が開口した容器状に脱水成型し乾燥するようにして、苗木をそのまま移植できるようにしたものである。
【特許文献１】特開２０００−２１７４４２号公報
【特許文献２】特開２００２−２６２６７１号公報
【特許文献３】特開平５−２５２８３６号公報
【発明の開示】
【発明が解決しようとする課題】
【０００７】
上述のように、地中で分解する素材を用いた園芸用ポットは、苗木を育てた園芸用ポットのまま直接土中に埋設することができ、苗木の移植を簡単に行えるという利点がある。また、このような園芸用ポットでは、地中に埋めておけば自然に分解し、廃棄の問題がなくなり、環境破壊のおそれがなくなる。
【０００８】
また、このような園芸用ポットでは、原材料とともに、粘着剤についても、土中に分解し、環境を破壊しないものを用いることが望まれる。
【０００９】
本発明は、上述の課題を鑑み、土中に埋めておくと自然に分解するとともに、環境破壊を防止するようにした園芸用ポットの製造方法および園芸用ポットを提供することを目的とする。
【課題を解決するための手段】
【００１０】
本発明に係る園芸用ポットの製造方法は、原材料としての籾殻を粉状に砕く工程と、粉状に砕かれた籾殻と、片栗粉を含む粘着剤と、固体剤とを混合する工程と、前記混合行程で混合された物質を型に入れて１５０度から２００度の温度で所定時間加熱して成型する工程と、加熱された成型物を高温炉から取り出して乾燥させる工程とを備えることを特徴とする。
【００１１】
好ましくは、更に、玄米糠を原材料として加えることを特徴とする。
【００１２】
好ましくは、更に、豚油を混合することを特徴とする。
【００１３】
好ましくは、更に、食紅の色素を混合することを特徴とする。
【００１４】
好ましくは、片栗粉を含む粘着剤は、片栗粉の他、ホルムアルデヒドと、尿素と、メラミンと、ゼラチンとを配合してなる粘着物質を用いることを特徴とする。
【発明の効果】
【００１５】
本発明によれば、原材料としての籾殻を粉状に砕く工程と、粉状に砕かれた籾殻と、片栗粉を含む粘着剤と、固体剤とを混合する工程と、前記混合行程で混合された物質を型に入れて１５０度から２００度の温度で所定時間加熱して成形する工程と、加熱された成型物を高温炉から取り出して乾燥させる工程とを備えるようにしている。このため、原材料とともに、粘着剤についても、土中に分解し、環境を悪化させることがない。
【００１６】
また、本発明によれば、更に、玄米糠を原材料として加えるようにしており、脱穀や精米により生じる籾殻や玄米糠を再利用することができる。
【００１７】
また、本発明によれば、更に、豚油を混合するようにしているので、園芸用ポットの表面に光沢を施すことができる。
【００１８】
また、本発明によれば、混合工程で、色素を混合するようにしているので、園芸用ポットの表面に色を施すことができる。
【００１９】
また、本発明によれば、片栗粉を含む粘着剤は、片栗粉にホルムアルデヒドと、尿素と、メラミンと、ゼラチンとを配合してなる粘着物質を用いるようにしているので、粘着力を増強させることができる。
【発明を実施するための最良の形態】
【００２０】
以下、本発明の実施の形態について図面を参照しながら説明する。図１（Ａ）及び図１（Ｂ）は、本発明の第１実施形態の園芸用ポット１を示すものである。図１（Ａ）及び図１（Ｂ）に示すように、園芸用ポット１は、上部が開口された円筒形の形状ものや、上部が開口とされた直方体形の形状のものがある。そして、本発明の第１実施形態の園芸用ポット１は、籾殻を粉状に砕き、片栗粉を含む粘着剤と混合し、型に入れて高温で所定時間加熱して成型し、その後乾燥させることによって製造される。
【００２１】
このように、本発明の第１実施形態の園芸用ポット１は、原材料として籾殻を用いている。籾殻は天然素材であり、土中に埋めれば、全て分解し、自然に回帰する。現状では、籾殻は、ほとんど廃棄されており、籾殻を用いて園芸用ポットを形成すれば、従来廃棄されていた籾殻を有効な資源として利用できる。
【００２２】
また、本発明の第１実施形態の園芸用ポット１では、籾殻を繋ぐ粘着剤として、片栗粉を含むものが用いられている。片栗粉は天然素材であり、土中に埋めれば、全て分解し、自然に回帰する。
【００２３】
図２は、本発明の第１実施形態の園芸用ポットを用いた苗の植え替え作業を示すものである。図２（Ａ）に示すように、園芸用ポット１で種蒔きを行い、植物の苗２を育てる。苗２が有る程度まで育ったら、畑３の土壌に植え替える作業を行う。このとき、図２（Ｂ）に示すように、園芸用ポット１から苗２を取り出さず、苗２が育った園芸用ポット１をそのまま、直接、畑３の土中に埋設する。
【００２４】
園芸用ポット１は、原材料として籾殻を用いており、また、粘着剤として片栗粉を含むものが用いられているため、土中に埋めると、自然に分解して、土に戻る。したがって、園芸用ポット１は自然に分解していき、園芸用ポット１に植えられた苗は、自然に成長していく。
【００２５】
また、このような園芸用ポット１では、不要になったときには、そのまま土中に埋めておけば、土中で自然に分解して土に戻り、環境破壊のおそれがない。
【００２６】
次に、本発明の第１実施形態の園芸用ポットの製造工程について説明する。図３は、本発明の第１実施形態の園芸用ポットの製造工程を示すものである。
【００２７】
図３において、先ず、籾殻１１を砕き、粉状にする（工程Ｓ１）。籾殻１１を砕くのは、残存物を土に返し易くするとともに、園芸用ポットの表面が滑らかな仕上がりになるようにするためである。
【００２８】
次に、粉状に砕いた籾殻１１と、片栗粉を含む粘着剤１２と、固体剤１３とを攪拌機で混合する（工程Ｓ２）。そして、粉状の籾殻１１と、片栗粉を含む粘着剤１２と、固体剤１３とを混合した物質を、型に入れて、所定時間、高温で加熱する（工程Ｓ３）。
【００２９】
片栗粉を含む粘着剤１２は、高温に加熱されると、糊状となる。このため、粉状の籾殻１１の繋となる。
【００３０】
高温炉での加熱が終了したら、成型物を炉から取り出し、自然乾燥させる（工程Ｓ４）。
【００３１】
上述のように、本発明の第１実施形態の園芸用ポット１では、粘着剤１２として片栗粉を含むものが用いられている。片栗粉は、水で溶かして、熱を加えると、糊状になる。このことから、片栗粉は、原材料として籾殻を用いた園芸用ポットにおいて、籾殻を繋ぐ粘着剤として用いることができる。片栗粉は天然素材であり、土中に埋めれば、全て分解し、自然に回帰し、環境を破壊するおそれがない。また、片栗粉は安価で、入手し易い。
【００３２】
第２実施形態．
図４は、本発明の第２実施形態を示すものである。この実施形態では、工程Ｓ１における原材料として、籾殻１１とともに、玄米糠２１を混ぜるようにしたものである。この実施形態では、精米時において発生する玄米糠も有効利用できる。他の工程については、前述の第１実施形態と同様であり、その説明を省略する。
【００３３】
第３実施形態．
図５は、本発明の第３実施形態を示すものである。この実施形態では、工程Ｓ２において、粉末化した豚油２２を混ぜるようにしたものである。このように、粉末化した豚油２２を加えることにより、表面に光沢が出て、商品価値を上げることができる。他の工程については、前述の第１実施形態と同様であり、その説明を省略する。
【００３４】
第４実施形態．
図６は、本発明の第４実施形態を示すものである。この実施形態では、工程Ｓ２において、食紅等の色素２３を混ぜるようにしたものである。このように、色素２３を加えることにより、園芸用ポットに色彩を施すことができ、商品価値を上げることができる。他の工程については、前述の第１実施形態と同様であり、その説明を省略する。
【実施例１】
【００３５】
次に、本発明の園芸用ポット１の具体的な実施例について説明する。先ず、原材料としての籾殻１１は、脱穀した稲から得られる稲籾を用いた。この籾殻を粉状に砕く工程（工程Ｓ１）では、籾殻を０．５ｍｍから１ｍｍ程度に砕いた。なお、籾殻の代わりに、砂糖黍の廃材を用いても良い。他の原材料としては、草、麦わら、稲わら、麻、麻がら等、植物廃材の全てが利用可能である。
【００３６】
片栗粉を含む粘着剤１２としては、粘着力を向上させるために、片栗粉の他、ホルムアルデヒドと、尿素と、メラミンと、ゼラチンとからなる粘着物質を用いた。粘着剤の成分は、表１に示すように配合した。固体剤１３としては、蓚酸を用いた。園芸用ポットを成型する際、原材料と、粘着剤と、固体剤とは、表１に示すような比率で混合した。
【００３７】
【表１】
2007082478.tif 000003
粉状に砕いた籾殻１と、片栗粉を含む粘着剤１２と、固体剤１３とを混合する工程（工程Ｓ２）では、原材料が２５ｋｇで、１時間程度の攪拌を行った。
【００３８】
ポットを成型する型としては、図７（A）に示す内側金型５１と図７（B）に示す外側金型５２とからなるものを用いた。図７（Ｃ）は、内側金型５１および外側金型５２中にそれぞれニクロム線等のヒータ５３を設けこのヒータ５３によって内側金型５１および外側金型５２を加熱するようになっている。図７（Ｄ）は、内側金型５１と外側金型５２との間に、粉状の籾殻１と、片栗粉を含む粘着剤１２と、固体剤１３との混合物５４を詰め込んだ状況を説明する図である。図７（Ｄ）において、この混合物をヒータ５３で加熱された内側金型５１と外側金型５２で所定時間加熱することで、園芸用ポットが所望の形に成型される（工程Ｓ３）。
【００３９】
加熱は、１５０度から２００度の範囲の温度で、２分から１０分間行った。なお、加熱温度、加熱時間は、成形するポットの大きさや厚みに依存する。
【００４０】
高温炉での加熱が終了したら、成型物を炉から取り出し、自然乾燥させる（工程Ｓ４）。乾燥時間は、２０分から１時間であった。
【００４１】
以上のような実施例により、土中で１年程度で完全に分解して土に戻る園芸用ポット１を成型することができた。
【００４２】
なお、園芸用ポット１が完全に分解して土に戻るまでの期間は、片栗粉を含む粘着剤１２の比率に依る。上述のように、粘着剤１２の比率を３９．５％としたときには、園芸用ポット１が完全に分解して土に戻るまでの期間は約１年であり、粘着剤１２の比率を２７％としたときには、園芸用ポット１が完全に分解して土に戻るまでの期間は約３ヶ月である。
【産業上の利用可能性】
【００４３】
本発明は、苗を育成するための園芸用ポットの他、鑑賞用の鉢植えのための園芸用ポットとして利用することができる。
【図面の簡単な説明】
【００４４】
【図１】本発明の第１実施形態の園芸用ポットを示す斜視図である。
【図２】本発明の第１実施形態の園芸用ポットにおいて苗を植え替えるときの説明図である。
【図３】本発明の第１実施形態の製造工程の説明に用いる工程図である。
【図４】本発明の第２実施形態の製造工程の説明に用いる工程図である。
【図５】本発明の第３実施形態の製造工程の説明に用いる工程図である。
【図６】本発明の第４実施形態の製造工程の説明に用いる工程図である。
【図７】園芸用ポットを製造するための型の説明に用いる斜視図である。
【符号の説明】
【００４５】
１ 園芸用ポット
２ 苗
３ 畑
１１ 籾殻
１２ 片栗粉を含む粘着剤
１３ 固体剤
２１ 玄米糠
２２ 豚油
２３ 色素
５１ 内側金型
５２ 外側金型
５３ ヒータ
５４ 混合物
【図１】
2007082478.tif 000004
【図２】
2007082478.tif 000005
【図３】
2007082478.tif 000006
【図４】
2007082478.tif 000007
【図５】
2007082478.tif 000008
【図６】
2007082478.tif 000009
【図７】
2007082478.tif 000010
【手続補正書】
【提出日】平成17年11月17日(2005.11.17)
【手続補正１】
【補正対象書類名】特許請求の範囲
【補正対象項目名】請求項１
【補正方法】変更
【補正の内容】
【請求項１】
原材料としての籾殻を粉状に砕く工程と、
前記粉状に砕かれた籾殻と、片栗粉を含む粘着剤と、蓚酸とを混合する工程と、
前記混合行程で混合された物質を型に入れて１５０度から２００度の温度で所定時間加熱して成型する工程と、
前記加熱された成型物を前記高温炉から取り出して乾燥させる工程と
を備えたことを特徴とする園芸用ポットの製造方法。
【手続補正２】
【補正対象書類名】明細書
【補正対象項目名】００１０
【補正方法】変更
【補正の内容】
【００１０】
本発明に係る園芸用ポットの製造方法は、原材料としての籾殻を粉状に砕く工程と、粉状に砕かれた籾殻と、片栗粉を含む粘着剤と、蓚酸とを混合する工程と、前記混合行程で混合された物質を型に入れて１５０度から２００度の温度で所定時間加熱して成型する工程と、加熱された成型物を高温炉から取り出して乾燥させる工程とを備えることを特徴とする。
【手続補正３】
【補正対象書類名】明細書
【補正対象項目名】００１５
【補正方法】変更
【補正の内容】
【００１５】
本発明によれば、原材料としての籾殻を粉状に砕く工程と、粉状に砕かれた籾殻と、片栗粉を含む粘着剤と、蓚酸とを混合する工程と、前記混合行程で混合された物質を型に入れて１５０度から２００度の温度で所定時間加熱して成形する工程と、加熱された成型物を高温炉から取り出して乾燥させる工程とを備えるようにしている。このため、原材料とともに、粘着剤についても、土中に分解し、環境を悪化させることがない。
【手続補正書】
【提出日】平成18年2月10日(2006.2.10)
【手続補正１】
【補正対象書類名】特許請求の範囲
【補正対象項目名】全文
【補正方法】変更
【補正の内容】
【特許請求の範囲】
【請求項１】
原材料としての籾殻を粉状に砕く工程と、
前記粉状に砕かれた籾殻と、片栗粉を含み、ホルムアルデヒド、尿素、メラミンおよびゼラチンを配合してなる粘着剤と、蓚酸とを混合する工程と、
前記混合工程で混合された物質を鉢状の型に入れて１５０度から２００度の温度で所定時間加熱して成型する工程と、
前記加熱された成型物を前記高温炉から取り出して乾燥させる工程と
を備えたことを特徴とする園芸用ポットの製造方法。
【請求項２】
前記籾殻が６０％、前記粘着剤が３９．５％、前記蓚酸が０．５％の重量比で混合されることを特徴とする請求項１に記載の園芸用ポットの製造方法。
【請求項３】
前記請求項１ないし２に記載の園芸用ポットの製造方法を用いて製造された園芸用ポット。
【手続補正２】
【補正対象書類名】明細書
【補正対象項目名】００１０
【補正方法】変更
【補正の内容】
【００１０】
本発明に係る園芸用ポットの製造方法は、原材料としての籾殻を粉状に砕く工程と、粉状に砕かれた籾殻と、片栗粉を含み、ホルムアルデヒドと、尿素と、メラミンと、ゼラチンとを配合してなる粘着剤と、蓚酸とを混合する工程と、前記混合工程で混合された物質を鉢状の型に入れて１５０度から２００度の温度で所定時間加熱して成型する工程と、加熱された成型物を高温炉から取り出して乾燥させる工程とを備えることを特徴とする。
【手続補正３】
【補正対象書類名】明細書
【補正対象項目名】００１１
【補正方法】変更
【補正の内容】
【００１１】
本発明に係る園芸用ポットの製造方法においては、籾殻が６０％、粘着剤が３９．５％、蓚酸が０．５％の重量比で混合されることを特徴とする。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】